(57)【要約】【課題】  地域による趣向の違いに応じた画像処理をより容易に施すことを可能とする。【解決手段】  ＧＰＳ制御部１３５は、ＧＰＳ用衛星（複数）からのＧＰＳ信号を受信して位置情報（緯度・経度）を取得する。画像処理部１３４は、地域特定テーブル１３３−１からその地域を特定する。さらに、該地域を指定することでパラメータ補正値テーブル１３３−２から画像処理におけるパラメータの補正値内容を読み出す。そして、画像処理部１３４は、パラメータの補正値内容に従って、画像データに画像処理を施し、別ファイル名（元ファイル名＋国名）を付けて保存する。【選択図】  図１
2007019921.tif 000002
【特許請求の範囲】
【請求項１】
位置情報を取得する位置情報取得手段と、
位置情報と画像の補正処理内容とを対応付けて記憶する補正処理内容記憶手段と、
前記位置情報取得手段によって取得された位置情報に対応する補正処理内容を前記補正処理内容記憶手段から読み出す補正処理内容読出手段と、
画像を記憶する画像記憶手段と、
この画像記憶手段に記憶された画像を読み出す画像読出手段と、
この画像読出手段によって読み出された画像を前記補正処理内容読出手段によって読み出された補正処理内容に基づいて補正する補正手段と
を具備することを特徴とする画像補正装置。
【請求項２】
撮像手段をさらに具備し、
前記画像記憶手段は、前記撮像手段により撮像された画像を記憶することを特徴とする請求項１記載の画像補正装置。
【請求項３】
前記補正処理内容記憶手段と前記補正処理内容読出手段は、ネットワーク上のサーバ装置にあり、
前記ネットワークを介して前記サーバ装置に接続する接続手段と、
前記位置情報取得手段によって取得された位置情報を前記接続手段により接続された前記サーバ装置に送信する送信手段と、
前記送信手段による位置情報の送信に応答して、前記サーバ装置から送信される補正処理内容を受信する受信手段と
をさらに具備し、
前記補正手段は、前記受信手段によって受信された補正処理内容に基づいて前記画像を補正することを特徴とする請求項１記載の画像補正装置。
【請求項４】
前記位置情報取得手段は、ＧＰＳ用衛星からのＧＰＳ信号を受信して位置情報を取得することを特徴とする請求項１記載の画像補正装置。
【請求項５】
前記画像を送信する送信先情報と位置情報とを対応付けて記憶する送信先情報記憶手段と、
前記画像読出手段によって読み出された画像の送信を指示する送信指示手段と、
この送信指示手段によって送信される画像の送信先が前記送信先情報記憶手段に記憶されているか否かを判断する判断手段と、
この判断手段によって前記送信先情報記憶手段に記憶されていると判断されると、この送信先情報に対応付けられて記憶されている位置情報を読み出す位置情報読出手段と
をさらに具備し、
前記補正処理内容読出手段は、前記位置情報読出手段によって読み出された位置情報に対応する補正処理内容を前記補正処理内容記憶手段から読み出すことを特徴とする請求項１記載の画像補正装置。
【請求項６】
位置情報を取得する位置情報取得ステップと、
この位置情報取得ステップにて取得された位置情報に対応する補正処理内容を、位置情報と画像の補正処理内容とを対応付けて記憶する第１のメモリから読み出す補正処理内容読出ステップと、
画像を記憶する第２のメモリから画像を読み出す画像読出ステップと、
この画像読出ステップにて読み出された画像を前記補正処理内容読出ステップにて読み出された補正処理内容に基づいて補正する補正ステップと
からなることを特徴とする画像補正方法。
【請求項７】
コンピュータを、
位置情報を取得する位置情報取得手段、
この位置情報取得手段によって取得された位置情報に対応する補正処理内容を、位置情報と画像の補正処理内容とを対応付けて記憶する第１のメモリから読み出す補正処理内容読出手段、
画像を記憶する第２のメモリから画像を読み出す画像読出手段、
この画像読出手段によって読み出された画像を前記補正処理内容読出ステップにて読み出された補正処理内容に基づいて補正する補正手段
として機能させるための画像補正プログラム。
【発明の詳細な説明】
【技術分野】
【０００１】
本発明は、画像補正装置、画像処理方法および画像処理プログラムに関する。
【背景技術】
【０００２】
デジタルカメラやカメラ付き携帯電話などにおいては、撮像画像データの明度や、彩度、色相、シャープネスに対するユーザの趣向は、例えば、ある国では自然な肌色を重視し、ある国では鮮やかな原色を好むなど、国や地域などにより異なることが知られている。あるいは、撮影された人物の年齢が高い場合には、高シャープネス、明度および彩度の低い肌色が好まれ、年齢が低い場合には、低シャープネス、明度および彩度の高い肌色が好まれるなど、年齢の違いによっても趣向が異なることが知られている。
【０００３】
しかしながら、上記画像処理における明度や、彩度、色相、シャープネスなどのパラメータは、特に印刷する場合を考慮して、仕向地に合わせてメーカによって設計段階で設定されている。このため、例えば、旅行者が国内で購入したデジタルカメラやカメラ付き携帯電話などで、海外などの旅先で撮影した場合、撮像画像データは、国内用に調整されることになる。この撮像画像データを現地の人に印刷してあげようとした場合、現地の人の趣向に合わないものとなってしまう。
【０００４】
そこで、例えば、地域や目の色、季節に応じて適切に画像処理を行うという技術が提案されている（例えば特許文献１参照、特許文献２参照）。これら従来技術では、年齢や地域、季節、性別などのパラメータをメニューから指定し、指定されたパラメータを用いて画像処理を施すことにより、ユーザの趣向にあった画像データとしている。
【特許文献１】特開平６−７０１４７号公報
【特許文献２】特開２００１−２５１５２９号公報
【発明の開示】
【発明が解決しようとする課題】
【０００５】
しかしながら、上記従来技術では、地域や目の色、季節などをユーザがマニュアルで指示しなければならず、操作が煩雑で面倒であったという問題があった。
【０００６】
そこで本発明は、地域による趣向の違いに対応した画像処理をより容易に施すことができる画像補正装置、画像処理方法および画像処理プログラムを提供することを目的とする。
【課題を解決するための手段】
【０００７】
上記目的達成のため、請求項１記載の発明による画像補正装置は、位置情報を取得する位置情報取得手段と、位置情報と画像の補正処理内容とを対応付けて記憶する補正処理内容記憶手段と、前記位置情報取得手段によって取得された位置情報に対応する補正処理内容を前記補正処理内容記憶手段から読み出す補正処理内容読出手段と、画像を記憶する画像記憶手段と、この画像記憶手段に記憶された画像を読み出す画像読出手段と、この画像読出手段によって読み出された画像を前記補正処理内容読出手段によって読み出された補正処理内容に基づいて補正する補正手段とを具備することを特徴とする。
【０００８】
また、好ましい態様として、例えば請求項２記載のように、請求項１記載の画像補正装置において、撮像手段をさらに具備し、前記画像記憶手段は、前記撮像手段により撮像された画像を記憶するようにしてもよい。
【０００９】
また、好ましい態様として、例えば請求項３記載のように、請求項１記載の画像補正装置において、前記補正処理内容記憶手段と前記補正処理内容読出手段は、ネットワーク上のサーバ装置にあり、前記ネットワークを介して前記サーバ装置に接続する接続手段と、前記位置情報取得手段によって取得された位置情報を前記接続手段により接続された前記サーバ装置に送信する送信手段と、前記送信手段による位置情報の送信に応答して、前記サーバ装置から送信される補正処理内容を受信する受信手段とをさらに具備し、前記補正手段は、前記受信手段によって受信された補正処理内容に基づいて前記画像を補正するようにしてもよい。
【００１０】
また、好ましい態様として、例えば請求項４記載のように、請求項１記載の画像補正装置において、前記位置情報取得手段は、ＧＰＳ用衛星からのＧＰＳ信号を受信して位置情報を取得するようにしてもよい。
【００１１】
また、好ましい態様として、例えば請求項５記載のように、請求項１記載の画像補正装置において、前記画像を送信する送信先情報と位置情報とを対応付けて記憶する送信先情報記憶手段と、前記画像読出手段によって読み出された画像の送信を指示する送信指示手段と、この送信指示手段によって送信される画像の送信先が前記送信先情報記憶手段に記憶されているか否かを判断する判断手段と、この判断手段によって前記送信先情報記憶手段に記憶されていると判断されると、この送信先情報に対応付けられて記憶されている位置情報を読み出す位置情報読出手段とをさらに具備し、前記補正処理内容読出手段は、前記位置情報読出手段によって読み出された位置情報に対応する補正処理内容を前記補正処理内容記憶手段から読み出すようにしてもよい。
【００１２】
また、上記目的達成のため、請求項６記載の発明による画像補正方法は、位置情報を取得する位置情報取得ステップと、この位置情報取得ステップにて取得された位置情報に対応する補正処理内容を、位置情報と画像の補正処理内容とを対応付けて記憶する第１のメモリから読み出す補正処理内容読出ステップと、画像を記憶する第２のメモリから画像を読み出す画像読出ステップと、この画像読出ステップにて読み出された画像を前記補正処理内容読出ステップにて読み出された補正処理内容に基づいて補正する補正ステップとからなることを特徴とする。
【００１３】
また、上記目的達成のため、請求項７記載の発明による画像補正プログラムは、コンピュータを、位置情報を取得する位置情報取得手段、この位置情報取得手段によって取得された位置情報に対応する補正処理内容を、位置情報と画像の補正処理内容とを対応付けて記憶する第１のメモリから読み出す補正処理内容読出手段、画像を記憶する第２のメモリから画像を読み出す画像読出手段、この画像読出手段によって読み出された画像を前記補正処理内容読出ステップにて読み出された補正処理内容に基づいて補正する補正手段として機能させることを特徴とする。
【発明の効果】
【００１４】
請求項１記載の発明によれば、補正処理内容記憶手段は位置情報取得手段によって取得された位置情報と画像の補正処理内容とを対応付けて記憶し、画像読出手段によって画像記憶手段に記憶された画像が読み出されると、前記補正処理内容読出手段が補正処理内容記憶手段に記憶された補正処理内容を読み出して、この補正内容に基づいて補正手段が前記画像を補正するようにしたので、地域による趣向の違いに対応した画像処理をより容易に施すことができるという利点が得られる。
【００１５】
また、請求項２記載の発明によれば、撮像手段により撮像された画像を画像記憶手段に記憶するようにしたので、撮像した地域による趣向の違いに対応した画像処理をより容易に施すことができるという利点が得られる。
【００１６】
また、請求項３記載の発明によれば、前記補正処理内容記憶手段と前記補正処理内容読出手段はネットワーク上のサーバ装置にあり、接続手段が前記ネットワークを介して前記サーバ装置に接続して、送信手段が前記位置情報取得手段によって取得された位置情報を送信する。そして、これに応答して前記サーバ装置より送信される補正処理内容を受信手段が受信し、補正手段は受信手段によって受信された補正処理内容に基づいて前記画像を補正するようにしたので、地域による趣向の違いに対応した画像処理をより容易に施すことができるとともに、画像補正装置側の負担を軽減することができるという利点が得られる。
【００１７】
また、請求項４記載の発明によれば、前記位置情報取得手段により、ＧＰＳ用衛星からのＧＰＳ信号を受信して位置情報を取得するようにしたので、地域による趣向の違いに対応した画像処理をより容易に施すことができるとともに、地域を特定するための位置情報を容易に取得することができるという利点が得られる。
【００１８】
また、請求項５記載の発明によれば、送信指示手段によって、読み出された画像の送信を指示されると、この画像の送信先が送信先情報記憶手段に記憶されているか否かを判断し、記憶されていると判断されると、位置情報読出手段がこの送信先情報に対応付けられて記憶されている位置情報を読み出し、補正処理内容読出手段が読み出された位置情報に対応する補正処理内容を読み出すようにしたので、送信先の地域に応じて、地域による趣向の違いに対応した画像処理をより容易に施すことができるという利点が得られる。
【００１９】
また、請求項６記載の発明によれば、位置情報を取得する位置情報取得ステップと、この位置情報取得ステップにて取得された位置情報に対応する補正処理内容を、位置情報と画像の補正処理内容とを対応付けて記憶する第１のメモリから読み出す補正処理内容読出ステップと、画像を記憶する第２のメモリから画像を読み出す画像読出ステップと、この画像読出ステップにて読み出された画像を前記補正処理内容読出ステップにて読み出された補正処理内容に基づいて補正する補正ステップとからなるようにしたので、地域による趣向の違いに対応した画像処理をより容易に施すことができるという利点が得られる。
【００２０】
また、請求項７記載の発明によれば、コンピュータを、位置情報を取得する位置情報取得手段、この位置情報取得手段によって取得された位置情報に対応する補正処理内容を、位置情報と画像の補正処理内容とを対応付けて記憶する第１のメモリから読み出す補正処理内容読出手段、画像を記憶する第２のメモリから画像を読み出す画像読出手段、この画像読出手段によって読み出された画像を前記補正処理内容読出ステップにて読み出された補正処理内容に基づいて補正する補正手段として機能させるようにしたので、地域による趣向の違いに対応した画像処理をより容易に施すことができるという利点が得られる。
【発明を実施するための最良の形態】
【００２１】
以下、本発明の実施の形態を、図面を参照して説明する。
Ａ．第１実施形態
Ａ−１．第１実施形態の構成
図１は、本発明の第１実施形態に係る携帯電話１の蓋を開いた状態と閉じた状態の正面図に相当する外観図である。図１（ａ）は、携帯電話１の蓋を開いた状態を示し、図１（ｂ）は、携帯電話１の蓋を閉じた状態（蓋側）を示し、図１（ｃ）は、携帯電話１の蓋を閉じた状態（裏面側）を示している。携帯電話１は、蓋部２と本体部３とからなる二つ折り構造である。
【００２２】
図１（ａ）において、スピーカ１０１は、蓋部２の前面側に設けられており、電話モードにおける通話時には音声出力を行う。メイン表示部１０２は、カラー液晶であり、ＱＶＧＡの解像度を有し、撮像した画像、動画やダウンロードした画像、動画を表示可能となっている。アンテナ１０３は、本体部の背面に設けられており、伸縮自在となっている。
【００２３】
カメラキー１０４は、電源オン状態におけるカメラモードへの移行、後述する撮像デバイス１３０、ＤＳＰ１２９の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したりするためのキーである。アドレスキー１０８は、アドレス帳データを表示するためのキーである。
【００２４】
ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行うためのキーである。マイク１１４は、本体部の下部に設けられており、通話時における音声入力を行う。
【００２５】
図１（ｂ）において、サブ表示部１１６は、蓋部の背面に設けられており、携帯電話１が閉じられた状態において、日時表示や、着信報知、メール着信報知、静止画や動画撮影時の補助画面などに用いられる。報知用ＬＥＤ１１７は、着信報知、メール着信報知を行なう。撮像レンズ１１８は、蓋部２の背面、上記サブ表示部１１６の上部に設けられており、静止画や動画を撮影する。フラッシュ用ＬＥＤ１１９は、静止画や動画撮影時に点灯し、露出不足を防止する。
【００２６】
図１（ｃ）において、メモリカードスロットカバー１１５は、メモリカードスロットをカバーするためのものである。報知スピーカ１２０は、着信や緊急時などを報知するものである。端子１２２は主にクレイドル（不図示）に携帯電話１が装着された際、クレイドルを経由して充電池４０を充電させるためのものである。端子１２３〜１２５はクレイドル（不図示）を経由してパーソナル・コンピュータ等の外部周辺機器とデータ通信を行うためのＵＳＢ規格に対応した端子である。コネクタカバー１２６は内部にＣＤＭＡ方式の移動機の規格に沿ったコネクタ（後述する）を有し、パーソナル・コンピュータ等の外部周辺機器とデータ通信を行うためのものである。
【００２７】
次に、図２は、本第１実施形態による携帯電話１の構成を示すブロック図である。図において、無線送受信部１３０は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行う。
【００２８】
通信制御部１３１は、ＷＷＷ接続制御、通信プロトコルに沿ったデータ処理を含む当該機器を制御する。この通信制御部１３１には、ＣＬＥＰ系音声復号処理回路、パケットデータ生成回路、およびパケットデータ復元回路を含む通信データ処理部１３１１と、この通信データ処理部１３１１で処理される音声信号の入出力処理を行い、マイク１１４からの音声を入力して音声信号に変換して、音声信号をスピーカ１０１から出力するためのオーディオインターフェイス１３１２を含む。
【００２９】
システムＲＯＭ１３２は、当該携帯電話において、主に無線通信処理全般を制御するための基本システムプログラムを格納する。ＲＡＭ１３３は、アドレス帳データ、メールデータ等、電話モードにて使用するデータや、カメラモードにて撮影された画像データ、動画データ等、機器内で生成される各種データを記憶する。また、ＲＡＭ１３３は、位置情報からその地域（国）を特定するための地域特定テーブル１３３−１と、地域毎に撮像画像データに対して行う画像処理のパラメータを記憶するパラメータ補正テーブル１３３−２とを保持している。
【００３０】
画像処理部１３４は、当該携帯電話１で撮影した静止画／動画、あるいはネットワークを介してダウンロードした静止画／動画に対して、画像処理を行うための回路部である。特に、本発明では、上記地域特定テーブル１３３−１により特定された地域に対応して、パラメータ補正テーブル１３３−２に設定されているパラメータに従って、画像データに画像処理を施し、該画像処理を施した画像データを最終的にＲＡＭ１３３に保存するようになっている。また、後述するメール作成処理についても、画像処理部１３４にて行う。
【００３１】
ＧＰＳ制御部１３５は、ＧＰＳ用衛星（複数）からのＧＰＳ信号を受信して位置情報（緯度・経度）を取得する。なお、位置情報に関しては、ＧＰＳ用衛星からのＧＰＳ信号の誤差情報や無線基地局の位置情報等を受信して、これらに基づいて精度の高い位置情報を算出するようにしてもよい。プログラムＲＯＭ１３６は、書換可能なＦｌａｓｈ  ＲＯＭで構成され、各種アプリケーションプログラムを格納する。
【００３２】
表示モジュール系ドライバ１３７は、サブ表示部１１６、メイン表示部１０２、ＬＥＤ１１７，１１９を駆動させる。ステップモータ１３８は、撮像レンズ１１８を駆動させるためのものである。撮像モジュール１３９は、ＣＣＤ、若しくはＣＭＯＳで構成され、撮像レンズ１１８により集束された映像をカラー画像として取り込む。ＤＳＰ１４０は、撮像モジュール１３９にて取り込まれた画像を符号化処理する。音源ＩＣ１４２は、着信音などを生成する。ＡＭＰ１４３は、音源ＩＣ１４２からの音声信号を増幅し、スピーカ１２０から出力する。
【００３３】
メモリカードスロット１４４は、メモリカード（外部記録媒体）１４５を収納し、該メモリカード１４５とのデータ交換のゲートとしての機能を備える。外部インターフェイスコントローラ１４６は、コネクタ１４７、端子１２３〜１２５とのデータ交換を制御する。アドレス・データバス処理部１４８は、周辺回路とのデータの入出力タイミング等を制御・管理する。
【００３４】
次に、図３は、本第１実施形態による地域特定テーブル１３３−１を示す概念図である。図において、地域特定テーブル１３３−１には、位置情報（緯度・経度）の範囲と地域とが規定されている。地域特定テーブル１３３−１では、位置情報（緯度・経度）を指定することでその地域を特定することが可能になっている。実際には、地域を示す地域情報を二次元マップ（世界地図）上に配置し、ＧＰＳ制御部１３５により取得した位置情報（緯度・経度）を上記二次元マップ上に投影することで一意に地域を特定するのが望ましい。
【００３５】
また、図４は、本第１実施形態によるパラメータ補正値テーブル１３３−２を示す概念図である。パラメータ補正値テーブル１３３−２には、地域毎に画像処理におけるパラメータとして、明度、彩度、色相、シャープネス、色強調、フィルタなどの補正値が設定されている。一例として、韓国の場合には、彩度をかなり上げた色調が好まれることが知られており、印刷した場合も忠実な色合いよりも多少イラスト調の色合いになるように補正値が設定されている。パラメータ補正値テーブル１３３−２では、地域を指定することで画像処理におけるパラメータの補正値を取得することが可能になっている。
【００３６】
Ａ−２．第１実施形態の動作
次に、上述した第１実施形態の動作について説明する。ここで、図５および図６は、本第１実施形態による携帯電話１の動作を説明するためのフローチャートである。
【００３７】
携帯電話１では、アルバム（画像閲覧モード）が起動されると、撮像された画像ファイルの一覧を表示する（ステップＳ１０）。次に、いずれかの画像ファイルが選択されたか否かを判断し（ステップＳ１２）、選択されない場合には、ステップＳ１０へ戻り、画像ファイルの一覧表示を継続する。一方、いずれかの画像ファイルが選択された場合には、選択された画像ファイルを拡大してメイン表示部１０２に表示する（ステップＳ１４）。
【００３８】
次に、サブメニューが選択されたか否かを判断し（ステップＳ１６）、選択されない場合には、ステップＳ１４へ戻り、選択された画像ファイルの拡大表示を継続する。一方、サブメニューが表示された場合には、サブメニューの項目を表示する（ステップＳ１８）。次に、サブメニューにおいて補正処理が選択されたか否かを判断し（ステップＳ２０）、補正処理以外が選択された場合には、他の処理へ進む（ステップＳ２２）。
【００３９】
一方、サブメニューにおいて補正処理が選択された場合には、「位置情報を取得する」が選択されたか否かを判断する（ステップＳ２４）。そして、「位置情報を取得する」以外が選択された場合には、手動で補正内容を設定する処理へ進む（ステップＳ２６）。一方、「位置情報を取得する」が選択された場合には、ＧＰＳ制御部１３５を起動し、位置情報を取得する（ステップＳ２８）。次に、位置情報（緯度・経度）を指定することで地域特定テーブル１３３−１からその地域を特定し、該地域を指定することでパラメータ補正値テーブル１３３−２から画像処理におけるパラメータの補正値内容を読み出し、画像処理部１３４に設定する（ステップＳ３０）。
【００４０】
次に、画像処理部１３４で選択された画像ファイルに対して上記補正内容で画像処理を施し、該補正内容が反映された画像をメイン表示部１０２に表示する（ステップＳ３２）。次に、「保存」が指示されたか否かを判断し（ステップＳ３４）、「保存」が指示されない場合には、キャンセルが指示されたか否かを判断する（ステップＳ３６）。そして、「保存」も「キャンセル」も指示されない場合には、ステップＳ３２に戻り、補正された画像の表示を継続する。
【００４１】
一方、「キャンセル」が指示された場合には、補正された画像ファイルを保存することなく、ステップＳ１４へ戻り、選択された画像ファイルの拡大表示以降を繰り返す。一方、「保存」が指示された場合には、別ファイル名（元ファイル名＋国名）を付けて保存する（ステップＳ３８）。その後、メインルーチンへ戻る。
【００４２】
上述した第１実施形態によれば、ＧＰＳなどを利用して現在位置を示す位置情報を取得し、該位置情報に基づいて画像処理におけるパラメータを補正し、該補正したパラメータで画像処理を施すことにより、撮影した地域による趣向の違いに対応した画像処理をより容易に施すことが可能になる。
【００４３】
Ｂ．第２実施形態
次に、本発明の第２実施形態について説明する。本第２実施形態では、前述した第１実施形態において携帯電話１で行っていた、位置情報に基づく地域の特定、ならびに特定された地域に基づく画像処理でのパラメータの補正内容の取得を、ネットワーク上のサーバで行い、携帯電話１は、サーバからパラメータの補正内容を取得することを特徴としている。サーバとしては、プリントサービスを行う事業者のサーバを想定している。
【００４４】
Ｂ−１．第２実施形態の構成
図７は、本発明の第２実施形態に係る携帯電話１のシステム構成を示すブロック図である。携帯電話１は、前述した地域特定テーブル１３３−１、パラメータ補正テーブル１３３−２を備えていないことを除くと、図２に示す構成と同じである。該携帯電話１は、無線基地局５０、５０、電話回線網５１、ネットワーク５２を介して、管理サーバ５３にアクセスし、ＧＰＳ制御部１３５で取得した位置情報を通知する。
【００４５】
管理サーバ５３は、データベース５４を備えており、該データベース５４に前述した地域特定テーブル１３３−１、パラメータ補正テーブル１３３−２を保持している。管理サーバ５３は、通知された位置情報に従って、データベース５４を参照して地域を特定するとともに、該地域に対応するパラメータ補正値を取得し、ネットワーク５２、電話回線網５１、無線基地局５０、５０を介して、携帯電話１に送信するようになっている。
【００４６】
Ｂ−２．第２実施形態の動作
次に、本第２実施形態による携帯電話１および管理サーバ５３の動作について説明する。ここで、図８および図９は、本第２実施形態による携帯電話１および管理サーバ５３の動作を説明するためのフローチャートである。
【００４７】
まず、携帯電話１では、アルバム（画像閲覧モード）が起動されると、撮像された画像ファイルの一覧を表示する（ステップＳ４０）。次に、いずれかの画像ファイルが選択されたか否かを判断し（ステップＳ４２）、選択されない場合には、ステップＳ４０へ戻り、画像ファイルの一覧表示を継続する。一方、いずれかの画像ファイルが選択された場合には、選択された画像ファイルを拡大してメイン表示部１０２に表示する（ステップＳ４４）。
【００４８】
次に、サブメニューが選択されたか否かを判断し（ステップＳ４６）、選択されない場合には、ステップＳ４４へ戻り、選択された画像ファイルの拡大表示を継続する。一方、サブメニューが表示された場合には、サブメニューの項目を表示する（ステップＳ４８）。次に、サブメニューにおいて補正処理が選択されたか否かを判断し（ステップＳ５０）、補正処理以外が選択された場合には、他の処理へ進む（ステップＳ５２）。
【００４９】
一方、サブメニューにおいて補正処理が選択された場合には、「位置情報を取得する」が選択されたか否かを判断する（ステップＳ５４）。そして、「位置情報を取得する」以外が選択された場合には、手動で補正内容を設定する処理へ進む（ステップＳ５６）。一方、「位置情報を取得する」が選択された場合には、ＧＰＳ制御部１３５を起動し、位置情報を取得する（ステップＳ５８）。次に、携帯電話１は、無線基地局５０、５０、電話回線網５１、ネットワーク５２を介して、管理サーバ５３にアクセスし、ＧＰＳ制御部１３５で取得した位置情報と端末ＩＤを送信する。
【００５０】
サーバ５３では、携帯電話１からアクセスがあると、位置情報を受信し（ステップＳ９０）、通知された位置情報に従って、データベース５４を参照して地域を特定するとともに、該地域に対応するパラメータの補正値内容を読み出し、ネットワーク５２、電話回線網５１、無線基地局５０、５０を介して、携帯電話１に送信する（ステップＳ９２）。
【００５１】
携帯電話１では、サーバ５３からのパラメータの補正値内容を画像処理部１３４に設定し、選択された画像ファイルに対して上記補正内容で画像処理を施し、該補正内容が反映された画像をメイン表示部１０２に表示する（ステップＳ６４）。次に、「保存」が指示されたか否かを判断し（ステップＳ６６）、「保存」が指示されない場合には、キャンセルが指示されたか否かを判断する（ステップＳ６８）。そして、「保存」も「キャンセル」も指示されない場合には、ステップＳ６４に戻り、補正された画像の表示を継続する。
【００５２】
一方、「キャンセル」が指示された場合には、補正された画像ファイルを保存することなく、ステップＳ４４へ戻り、選択された画像ファイルの拡大表示以降を繰り返す。一方、「保存」が指示された場合には、別ファイル名（元ファイル名＋国名）を付けて保存する（ステップＳ７０）。その後、メインルーチンへ戻る。
【００５３】
上述した第２実施形態によれば、無線通信回線網を介した管理サーバ５３で、携帯電話１からの位置情報を取得し、該位置情報に基づく地域の特定、ならびに特定された地域に基づく画像処理でのパラメータの補正内容の取得を行い、携帯電話１に通知する。これにより、携帯電話１の負担を軽減することが可能となり、撮影した地域による趣向の違いに対応した画像処理をより容易に施すことが可能になる。
【００５４】
Ｄ．第３実施形態
次に、本発明の第３実施形態について説明する。前述した第１実施形態では、携帯電話１が現在位置する地域に従って画像処理でのパラメータの補正内容を取得していたが、本第３実施形態では、これに加えて、画像を見る相手の年齢をも考慮して画像を補正することを特徴としている。また、本第３実施形態では、画像を見る相手として、当該画像をメールに添付して送信する場合を想定しており、地域に関する情報および年齢に関する情報は、メール送信で用いるアドレス帳に登録されている、相手の住所、年齢から取得するものとする。
【００５５】
Ｄ−１．第３実施形態の構成
図１０は、本第３実施形態に係る携帯電話１が備えるアドレス帳の構成を示す概念図である。アドレス帳１３３−３は、ＲＡＭ１３３に保持されており、その構成は、登録順に付けられるＮｏ．、氏名、フリガナ、電話番号１、電話番号２、Ｅメールアドレス、住所、地域、年齢からなる。これらの内容は、ユーザにより適宜登録される。なお、地域は、地域を特定するための地域コードであり、例えば、住所入力時に地域名（国名）の一覧から該当地域名（国名）を選択することで入力される。
【００５６】
次に、図１１は、本第３実施形態に係る携帯電話１が備えるパラメータ補正テーブル１３３−２の構成を示す概念図である。なお、パラメータ補正テーブル１３３−２の構成については前述した第１実施形態と同じであるので説明を省略する。本第３実施形態では、上述したアドレス帳１３３−３により特定された、メール送信先の相手の地域に従って、パラメータ補正テーブル１３３−２からパラメータ補正値を取得する。
【００５７】
次に、図１２は、本第３実施形態による年齢調整テーブル１３３−４の構成を示す概念図である。年齢調整テーブル１３３−４は、年代毎に、パラメータ補正値、特に彩度やシャープネスの補正値を調整するための調整値を保持している。すなわち、画像処理制御部１３４での彩度においては、年齢が若いほど増加させ、２０〜３０代で「０（デフォルト）」、さらに加齢されると、彩度を減少（ソフトな色合い）になるように、パラメータ補正テーブル１３３―２で取得したパラメータ補正値（彩度）を調整する。
【００５８】
Ｄ−２．第３実施形態の動作
次に、上述した第３実施形態の動作について説明する。ここで、図１３および図１４は、本第３実施形態による携帯電話１の動作を説明するためのフローチャートである。
【００５９】
携帯電話１では、ノーマル作成モードが起動されると、メールの新規作成画面を表示する（ステップＳ１００）。次に、添付ファイル設定が選択されたか否かを判断し（ステップＳ１０２）、添付ファイル設定が選択されない場合には、他の処理へ進む（ステップＳ１０４）。一方、添付ファイル設定が選択された場合には、撮像された画像ファイルの一覧を表示する（ステップＳ１０６）。次に、添付すべき画像ファイルが選択されたか否かを判断し（ステップＳ１０８）、画像ファイルが選択されない場合には、ステップＳ１０６に戻り、一覧表示を継続する。
【００６０】
一方、メールに添付すべき画像ファイルが選択された場合には、選択された画像ファイルを拡大表示する（ステップＳ１１０）。次に、サブメニューが選択されたか否かを判断し（ステップＳ１１２）、選択されない場合には、ステップＳ１１０へ戻り、選択された画像ファイルの拡大表示を継続する。一方、サブメニューが表示された場合には、サブメニューの項目（リサイズ等）を表示する（ステップＳ１１４）。次に、サブメニューにおいて補正処理が選択されたか否かを判断し（ステップＳ１１６）、補正処理以外が選択された場合には、他の処理へ進む（ステップＳ１１８）。
【００６１】
一方、補正処理が選択された場合には、メール送信宛先が設定されているか否かを判断する（ステップＳ１２０）。ここで、メール送信宛先が設定されていない場合には、メール送信宛先の入力を要求し（ステップＳ１２０）、その後、ステップＳ１００へ戻り、前述した処理を繰り返す。一方、メール送信宛先が設定されている場合には、そのメールアドレスはアドレス帳１３３−３に登録されているか否かを判断する（ステップＳ１２２）。ここで、メール送信宛先がアドレス帳１３３−３に登録されていない場合には、メールアドレスの入力を要求し（ステップＳ１２０）、その後、ステップＳ１００へ戻り、前述した処理を繰り返す。
【００６２】
一方、メールアドレスがアドレス帳１３３−３に登録されている場合には、その相手の地域（位置情報）と年齢が登録されているか否かを判断する（ステップＳ１２４）。そして、相手の住所、すなわち地域（位置情報）と年齢が登録されていない場合には、入力を要求し（ステップＳ１２０）、その後、ステップＳ１００へ戻り、前述した処理を繰り返す。
【００６３】
また、メール送信宛先が設定されており、かつそのメールアドレスがアドレス帳に登録されており、かつその相手の地域（位置情報）と年齢が等速されている場合には、地域（位置情報）を指定することでパラメータ補正値テーブル１３３−２から画像処理におけるパラメータ補正値を読み出し、さらに、年齢を指定することで、年齢調整テーブル１３３−４から調整値を読み出して上記パラメータ補正値を調整し、画像処理部１３４に設定する（ステップＳ１２８）。
【００６４】
次に、画像処理部１３４で選択された画像ファイルに対して上記補正内容で画像処理を施し、該補正内容が反映された画像をメイン表示部１０２に表示する（ステップＳ１３０）。次に、「添付」が指示されたか否かを判断し（ステップＳ１３２）、「添付」が指示されない場合には、ステップＳ１３０に戻り、補正した画像の表示を継続する。
【００６５】
一方、「添付」が指示された場合には、メール内容の作成が終了したか否かを判断する（ステップＳ１３４）。ここで、メール内容の作成が終了していない場合には、ステップＳ１００へ戻り、上述した処理を繰り返す。一方、メール内容の作成が終了した場合には、当該メールを送信フォルダに格納し（ステップＳ１３６）、送信が指示されたか否かを判断し（ステップＳ１３８）、送信が指示されると、上記送信フォルダに格納したメールを設定されたメールアドレスに送信する（ステップＳ１４０）。そして、当該処理を終了する。
【００６６】
上述した第３実施形態によれば、地域による趣向の違いに対応させる画像処理に年齢による修正も加えるようにしたので、地域のみならず、年齢による趣向の違いにも対応することが可能になる。
【図面の簡単な説明】
【００６７】
【図１】本発明の第１実施形態に係る携帯電話１の蓋を開いた状態と閉じた状態の正面図に相当する外観図である。
【図２】本第１実施形態による携帯電話１の構成を示すブロック図である。
【図３】本第１実施形態による地域特定テーブル１３３−１を示す概念図である。
【図４】本第１実施形態によるパラメータ補正値テーブル１３３−２を示す概念図である。
【図５】本第１実施形態による携帯電話１の動作を説明するためのフローチャートである。
【図６】本第１実施形態による携帯電話１の動作を説明するためのフローチャートである。
【図７】本発明の第２実施形態に係る携帯電話１のシステム構成を示すブロック図である。
【図８】本第２実施形態による携帯電話１および管理サーバ５３の動作を説明するためのフローチャートである。
【図９】本第２実施形態による携帯電話１および管理サーバ５３の動作を説明するためのフローチャートである。
【図１０】本第３実施形態に係る携帯電話１が備えるアドレス帳の構成を示す概念図である。
【図１１】本第３実施形態に係る携帯電話１が備えるパラメータ補正テーブル１３３−２の構成を示す概念図である。
【図１２】本第３実施形態による年齢調整テーブル１３３−４の構成を示す概念図である。
【図１３】本第３実施形態による携帯電話１の動作を説明するためのフローチャートである。
【図１４】本第３実施形態による携帯電話１の動作を説明するためのフローチャートである。
【符号の説明】
【００６８】
１  携帯電話（画像補正装置）
２  蓋部
３  本体部
４０  充電池
５０  無線基地局
５１  電話回線網
５２  ネットワーク
５３  管理サーバ（サーバ装置）
５４  データベース
１０１  スピーカ
１０２  メイン表示部
１０３  アンテナ
１０４〜１１３  入力部（送信指示手段）
１１４  マイク
１１６  サブ表示部
１１７  報知用ＬＥＤ
１１８  撮像レンズ（撮像手段）
１２０  報知スピーカ
１３０  無線部（接続手段、送信手段、受信手段）
１３１  通信制御部（接続手段、送信手段、受信手段）
１３２  システムＲＯＭ
１３３  ＲＡＭ（画像記憶手段）
１３３−１  地域特定テーブル（補正処理内容記憶手段）
１３３−２  パラメータ補正テーブル（補正処理内容記憶手段）
１３３−３  アドレス帳（送信先情報記憶手段）
１３３−４  年齢調整テーブル
１３４  画像処理制御部（補正処理内容読出手段、画像読出手段、補正手段、判断手段）
１３５  ＧＰＳ制御部（位置情報取得手段）
１３６  プログラムＲＯＭ
１３９  撮像モジュール（撮像手段）
１４０  ＤＳＰ（撮像手段）
１４２  音源ＩＣ
１４３  ＡＭＰ
１４８  アドレス・データバス処理部
【図１】
2007019921.tif 000003
【図２】
2007019921.tif 000004
【図３】
2007019921.tif 000005
【図４】
2007019921.tif 000006
【図５】
2007019921.tif 000007
【図６】
2007019921.tif 000008
【図７】
2007019921.tif 000009
【図８】
2007019921.tif 000010
【図９】
2007019921.tif 000011
【図１０】
2007019921.tif 000012
【図１１】
2007019921.tif 000013
【図１２】
2007019921.tif 000014
【図１３】
2007019921.tif 000015
【図１４】
2007019921.tif 000016